(57)【要約】      （修正有）【課題】サンダルの足の甲を覆うカバー部を着脱可能とするとともに、足首を覆う部分までも着脱可能として、ブーツのように使うことができ、さらに外観的に種々の装飾を施すことができるサンダルを提供することを目的とする。【解決手段】底板部１０２と該底板部に対して着脱可能なカバー部２０１，２０２とを有し、前記底板部の側面に、該側面に対して押し込みあるいは引き出すことができ、引き出した状態で中空部を有するピン１１１〜１１５を設け、足の甲または足首・脛部分を覆うための前記カバー部の底板部側に帯状部分を設け、該帯状部分を前記ピンの中空部分に通して繋止することにより、前記底板部に前記カバー部を装着する。【選択図】図３
0003115779.tif 000002
【実用新案登録請求の範囲】
【請求項１】
底板部と該底板部に対して着脱可能なカバー部とを有し、
前記底板部の側面に、該側面に対して押し込みあるいは引き出すことができ、引き出した状態で中空部を有するピンを設け、
足の甲または足首・脛部分を覆うための前記カバー部の底板部側に帯状部分を設け、
該帯状部分を前記ピンの中空部分に通して繋止することにより、前記底板部に前記カバー部を装着する
ことを特徴とするサンダル。
【請求項２】
請求項１に記載のサンダルにおいて、
前記ピンは磁力により吸着される金属製であり、前記底板部の側面に押し込んだとき該ピンを磁石で吸着して該底板部の側面から容易に飛び出ないように構成したことを特徴とするサンダル。
【請求項３】
請求項１または２に記載のサンダルにおいて、
前記カバー部は、足首・脛部分に巻き付けて繋止するベルト部を備えていることを特徴とするサンダル。
【請求項４】
請求項１から３の何れか１つに記載のサンダルにおいて、
前記カバー部の所定位置に磁石または金属片を設け、磁石または金属片を取り付けた飾り部を磁力により前記カバー部に固定するように構成したことを特徴とするサンダル。
【考案の詳細な説明】
【技術分野】
【０００１】
本考案は、足の甲を覆うカバー部や足首及び脛を覆うカバー部などを着脱可能にしたサンダルに関する。
【背景技術】
【０００２】
従来、足の甲を覆うカバー部を取り外し可能とする履物として、下記特許文献１に記載のスリッパが知られている。これは、スリッパの前端部を底部とカバー部に分割して、該カバー部を、ホック、マジックテープ（登録商標）、あるいはファスナーで簡単に取り外すことができるようにしたものである。
【０００３】
また、下記特許文献２には、ベルト状の部材で足の甲を押さえることができるようにし、該ベルト状の部材を取り外し可能としたサンダルが開示されている。
【０００４】
さらに、下記特許文献３には、足を把持するためのストラップ部分にタッチクローズ式ファスナーの一方のファスナー片を取り付けるとともに、該一方のファスナー片に対応する他方のファスナー片を取り付けた１乃至複数のサンダル飾り片を設け、それらのサンダル飾り片を組み合わせ自在にかつ着脱自在にサンダルのストラップ部分に対して装着できるようにしたものである。
【特許文献１】特開２００１−３５３００７
【特許文献２】特開２００５−４６２３８
【特許文献３】実用新案登録第３０８５８９２号
【考案の開示】
【考案が解決しようとする課題】
【０００５】
上記特許文献１に記載のものは、サンダルではなくスリッパである。スリッパは、サンダルよりも簡易な、主として屋内で使用する履物であり、足首や脛を把持するという考え方はスリッパには無い。
【０００６】
上記特許文献２に記載のものは、ベルト状の部材で足の甲を押さえるようにしたもので、通常のサンダルが有する足の甲を覆うカバー部が無いため、美的でないという欠点がある。
【０００７】
特許文献３に記載のものは、飾り片を取り替えることにより各種の美的なサンダルを実現できるが、飾り片を取り替えるだけのバリエーションしか無く、さらに多様な外観を実現できるものではない。
【０００８】
本考案は、サンダルの足の甲を覆うカバー部を着脱可能とするとともに、足首を覆う部分までも着脱可能として、ブーツのように使うことができ、さらに外観的に種々の装飾を施すことができるサンダルを提供することを目的とする。
【課題を解決するための手段】
【０００９】
上記の目的を達成するため、請求項１に係る考案は、底板部と該底板部に対して着脱可能なカバー部とを有し、前記底板部の側面に、該側面に対して押し込みあるいは引き出すことができ、引き出した状態で中空部を有するピンを設け、足の甲または足首・脛部分を覆うための前記カバー部の底板部側に帯状部分を設け、該帯状部分を前記ピンの中空部分に通して繋止することにより、前記底板部に前記カバー部を装着することを特徴とする。
【００１０】
請求項２に係る考案は、請求項１に記載のサンダルにおいて、前記ピンは磁力により吸着される金属製であり、前記底板部の側面に押し込んだとき該ピンを磁石で吸着して該底板部の側面から容易に飛び出ないように構成したことを特徴とする。
【００１１】
請求項３に係る考案は、請求項１または２に記載のサンダルにおいて、前記カバー部は、足首・脛部分に巻き付けて繋止するベルト部を備えていることを特徴とする。
【００１２】
請求項４に係る考案は、請求項１から３の何れか１つに記載のサンダルにおいて、前記カバー部の所定位置に磁石または金属片を設け、磁石または金属片を取り付けた飾り部を磁力により前記カバー部に固定するように構成したことを特徴とする。
【考案の効果】
【００１３】
本考案によれば、サンダルの足の甲の部分を覆うカバー部を容易に着脱可能とすることができ、利用者の好みに応じた種々のカバー部を自由に取り替えることができるという利点がある。また、足首や脛部分を覆うカバー部も容易に着脱可能に構成でき、これによりブーツのような履き物も実現できる。カバー部を底板部に取り付けるコの字型あるいは半円形のピンは、使わないときは側面に押し込んでおけるので、外観上も美的であり、使い勝手も良い。
【考案を実施するための最良の形態】
【００１４】
以下、本考案を実施する一形態例を説明する。
【００１５】
図１は、本実施形態のサンダルの底板の外観を示す。この底板は、地面に当たる底面部１０１の上に、足裏に当たる底板部１０２を貼り付けて、構成される。底板部１０２の側面１０３には、周囲の所定箇所に、コの字型の金属製のピン１１１〜１１５が設けられている。図１（ａ）は、ピン１１１〜１１５をそれぞれ引き出した状態を示す。図１（ｂ）は、ピン１１１〜１１５をそれぞれ少し押し入れた状態を示す。図１（ｃ）は、ピン１１１〜１１５をそれぞれ側面１０３に押し入れた状態を示す。押し入れた状態では、ピン１１１〜１１５は、側面１０３と同じ面位置となり側面１０３から突出しない。
【００１６】
これらのピン１１１〜１１５の構造については後に詳しく説明するが、図１（ｃ）のように側面に押し入れた状態のときは、内部にある磁石が金属製のピン１１１〜１１５を吸着した状態にあり、これによりピン１１１〜１１５は容易に飛び出ないようになっている。ピン１１１〜１１５を引き出すときには、例えば楊枝状のもので引っ掛けて引き出すようにする。
【００１７】
図２（ａ）は、底板部１０２の周囲のピンの配置位置を示す上面図である。図１の外観図で図示したピン１１１〜１１５のほか、ピン１１６〜１２１がそれぞれ所定位置に設けられている。
【００１８】
図２（ｂ）は、上述した底板部１０２に対して着脱可能な、足の甲を覆うカバー部２０１を示す。カバー部２０１は、布、革、あるいはビニールなどの柔軟な素材で構成し、ピン１１１〜１１３，１１９〜１２１にそれぞれ繋止するための帯状部分２１１〜２１３，２１９〜２２１を備えている。この帯状部分には、ピンに通した後固定できるように面ファスナーが設けられている。例えば、帯状部分２１１には、２３１と２５１に示す位置に面ファスナー（例えばベルクロ（登録商標）あるいはマジックテープ（登録商標）と言われるものなど）が設けられている。面ファスナー２３１と２５１は、貼り合わせることにより固着でき、また引き剥がすこともできるものである。同様に、帯状部分２１２には２３２と２５２の位置に、帯状部分２１３には２３３と２５３の位置に、帯状部分２１９には２３９と２５９の位置に、帯状部分２２０には２４０と２６０の位置に、帯状部分２２１には２４１と２６１の位置に、それぞれ相互に貼り合わせることができる面ファスナーが設けられている。
【００１９】
図２（ｃ）は、足首や脛の部分を覆うカバー部を示す。カバー部２０２は、その下部に帯状部分２１４〜２１８が設けられ、サンダルの底板部のピン１１４〜１１８にそれぞれ繋止できるようになっている。各帯状部分２１４〜２１８には、図２（ｂ）で説明した足の甲を覆うカバー部２０１と同様に、面ファスナーが設けられている。すなわち、帯状部分２１４には２３４と２５４の位置に、帯状部分２１５には２３５と２５５の位置に、帯状部分２１６には２３６と２５６の位置に、帯状部分２１７には２３７と２５７の位置に、帯状部分２１８には２３８と２５８の位置に、それぞれ相互に貼り合わせることができる面ファスナーが設けられている。さらに、足首から脛の部分に巻き付けて覆うようにベルト部２８１〜２８３が設けられている。各ベルト部２８１〜２８３には面ファスナー２８４〜２８６が（図の紙面の裏側の位置に）設けられている。また、足首や脛に巻き付けたとき、面ファスナー２８４〜２８６とそれぞれ貼り合わせる面ファスナー２８７〜２８９が設けられている。
【００２０】
図３（ａ）は、本実施形態のサンダルの底板部１０２に、図２（ｂ）で説明したカバー部２０１を装着する様子を示す。底板部１０２のピン１１１を引き出し、カバー部２０１の帯状部分２１１をピン１１１のコの字型の中空部を通して折り返す。ピン１１２や１１３についても同様にして、それぞれ帯状部２１２や２１３をその中空部に差し込んで折り返す。折り返した部分に、面ファスナー２３１と２５１、２３２と２５２、２３３と２５３が、それぞれ繋止し合うようになっている。カバー部２０１の反対側についても、同様にして、帯状部分２１９〜２２１をそれぞれピン１１９〜１２１に繋止する。これにより、図３（ｂ）に図示するように、カバー部２０１が底板部１０２に取り付けられる。
【００２１】
図３（ｂ）は、図２（ｂ）のカバー部２０１を底板部１０２に取り付け、さらに図２（ｃ）に示した足首や脛部分を覆うカバー部２０２を取り付けた様子を示す。帯状部分２１４が底板部１０２のピン１１４に繋止され、同様に帯状部分２１５がピン１１５に繋止されている様子が図示されている。同様にして、帯状部分２１６〜２１８がピン１１６〜１１８にそれぞれ繋止される。ベルト２８１〜２８３は足に巻き付けて、面ファスナー２８４と２８７とを貼り合わせ、面ファスナー２８５と２８８とを貼り合わせ、面ファスナー２８６と２８９とを貼り合わせることにより、図３（ｂ）のように装着される。
【００２２】
図４（ａ）は、ピン１１１の部分の内部構造を示す。例えば、底板部１０２を下部底板部と上部底板部とを貼り合わせて構成するものとする。下部底板部にピンが入るような中空部分４０２Ｌ，４０２Ｒを刳り出し、その中央部にはピン１１１のコの字型の内部に入るような島４０３を設ける。この上に上部底板部を貼り付けることにより、図１で説明した底板部１０２が形成される。ピン１１１はコの字型の枝の部分に４１１や４１２に示すようなＬ字型の突起部を備え、ピン１１１を引き出したとき下部底板部の突起部４１３および４１４と掛止して、ピン１１１が飛び出さないように（底板部１０２から分離しないように）構成されている。また、ピン１１１を押し込んだとき、Ｌ字型の突起部４１１，４１２は中空部４０２Ｌ，４０２Ｒを通って磁石４０４に吸着される。これにより、ピン１１１を側面１０３に押し込んだときは、簡単に飛び出さないように構成されている。
【００２３】
図５（ａ）は、足の甲を覆うカバー部２０１の中央部分の構成を示す。カバー部２０１の中央部分に袋状の部分５０１を設け、その中に磁石５０２を挿入しておく、図５（ｂ）は、図５（ａ）のＬＬ’断面を示す。袋状の部分５０１に磁石５０２が挿入されている。図５（ｃ）は、磁石５０２に吸い付けられる磁石５１１を設けた飾りである。カバー部２０１を図３で説明したようにサンダルの底板部１０２に取り付け、磁石５０２に磁石５１１を付けて、飾り５１２がカバー部２０１の上面に貼り付くように構成したものである。
【００２４】
なお、上述の実施形態において、コの字型のピンは金属製で磁石を用いて側面に押し込んで留めておけるようにしたが、ピンの素材は金属以外でもよいし、側面内に留めておく方法は底板部とピンとの接触面における摩擦力で容易に飛び出さないようにしてもよい。またピンは、コの字型に構成する代わりに、リング状に（半円形）してもよい。
【００２５】
上記実施形態では、カバー部２０１と２０２とを分離して構成したが、一体化して構成することもできる。またカバー部２０２のベルト部２８１〜２８３は無くし、初めから足首および脛部分を入れる筒状の構成としてもよい。
【００２６】
上記実施形態において、飾り５１２は磁石５０２と５１１により貼り付けているが、これらの磁石のうち一方を磁力に吸着する金属片としてもよい。また飾りを磁力で貼り付ける代わりに、面ファスナーを利用しても良い。
【００２７】
上記実施形態において、カバー部２０１の帯状部分およびカバー部２０２の帯状部分とベルト部については、面ファスナーを用いて繋止しているが、その他の方法を用いて繋止することもできる。例えば単に紐を結びつける方法でもよいし、ファスナーやホックなどを用いてもよい。
【図面の簡単な説明】
【００２８】
【図１】本考案に係るサンダルの底板の外観図
【図２】底板部の上面図および底板部に取り付けるカバー部の構成図
【図３】底板部にカバー部を装着した様子を示す外観図
【図４】ピンの部分の内部構造図
【図５】カバー部の中央部分の構成図
【符号の説明】
【００２９】
１０１…底面部、１０２…底板部、１０３…側面、１１１〜１１５…コの字型の金属製のピン、２０１，２０２…カバー部。
【図１】
0003115779.tif 000003
【図２】
0003115779.tif 000004
【図３】
0003115779.tif 000005
【図４】
0003115779.tif 000006
【図５】
0003115779.tif 000007